(57)【要約】【課題】撮影可能な画像数を増加させた立体撮影装置を提供する。【解決手段】撮影モード切替スイッチ６１により立体撮影モードに切替えられた時に、２つの撮像部１０，２０のうち、一方の撮像部１０を起動状態、他方の撮像部２０を機能停止状態にする。撮影者が、シャッタボタン６２を半押しにした時に、ＣＰＵ１３が、ＡＦ検出回路４０，ＡＥ／ＡＷＢ検出回路４１を制御して、撮像部１０により取得された画像データに基づいてＡＦ検出値及びＡＥ／ＡＷＢ検出値を検出させる。その後、シャッタボタン６２が全押しされた時に、ＡＦ検出値及びＡＥ／ＡＷＢ検出値に基づいて、撮像部１０，２０の両方を制御して立体撮影を実行する。【選択図】        図１
2005045511.tif 000002
【特許請求の範囲】
【請求項１】
一対の撮像部を用いて撮影を行う立体撮影モードと、前記一対の撮像部の一方のみを用いて撮影を行う通常撮影モードとを有し、撮影モード切替手段により前記立体撮影モードと前記通常撮影モードとが切替えられる立体撮影装置において、
前記撮影モード切替手段により前記立体撮影モードに切替えられた時に、前記一対の撮像部のうち、一方の撮像部を起動状態、他方の撮像部を機能停止状態にし、撮影の指令を取得した時に、前記他方の撮像部も起動状態にして、前記一対の撮像部を制御して立体撮影を実行させる制御手段を備えたことを特徴とする立体撮影装置。
【請求項２】
前記制御手段は、前記一方の撮像部のみが起動状態の時に、撮影条件を検出する検出手段を制御して、前記一方の撮像部により取得された画像データに基づいて撮影条件を検出させ、撮影の指令を取得した時に、前記撮影条件に基づいて前記一対の撮像部を制御して立体撮影を実行させることを特徴とする請求項１記載の立体撮影装置。
【請求項３】
一対の撮像部を用いて撮影を行う立体撮影モードと、前記一対の撮像部の一方のみを用いて撮影を行う通常撮影モードとを有し、撮影モード切替手段により前記立体撮影モードと前記通常撮影モードとが切替えられる立体撮影装置の制御方法において、
前記撮影モード切替手段により前記立体撮影モードに切替えられた時に、前記一対の撮像部のうち、一方の撮像部を起動状態、他方の撮像部を機能停止状態にし、撮影の指令を取得した時に、前記他方の撮像部も起動状態にして、前記一対の撮像部を制御して立体撮影を実行することを特徴とする立体撮影装置の制御方法。
【請求項４】
前記立体撮影モードにおいて、前記一方の撮像部のみが起動状態の時に、撮影条件を検出する検出手段を制御して、前記一方の撮像部により取得された画像データに基づいて撮影条件を検出させ、撮影の指令を取得した時に、前記撮影条件に基づいて前記一対の撮像部を制御して立体撮影を実行することを特徴とする請求項３記載の立体撮影装置の制御方法。
【発明の詳細な説明】
【０００１】
【発明の属する技術分野】
本発明は、一対の撮影部を有し、２次元撮影と３次元撮影とを選択的に実行可能な立体撮影装置に関する。
【０００２】
【従来の技術】
近年、デジタルカメラが一般に普及している。このようなデジタルカメラでは、ＣＣＤイメージセンサや、ＣＭＯＳイメージセンサ等の撮像手段が設けられており、この撮像手段が、撮影光学系によって結像された被写体像を画像データとして取得し、この画像データがメモリカード等の記憶媒体に記憶させる。
【０００３】
また、前述の撮像手段を含んで構成される撮像部を所定の間隔を隔てて２台設け、同一の被写体に対して異なる角度から同時に撮像を行って、一対の画像データを取得することにより、立体画像の撮影を行う立体撮影装置が知られている（例えば、特許文献１、特許文献２、特許文献３）。
【０００４】
【特許文献１】
特開平９−３７２９９号公報
【特許文献２】
特開平９−２１５０１２号公報
【特許文献３】
特開平８−３１７４２５号公報
【０００５】
【発明が解決しようとする課題】
しかしながら、前述の特許文献１〜３に記載されている立体撮影装置では、立体撮影時に２つの撮像部を同時に使用して撮影を行うため、通常のデジタルカメラよりも消費する電力が大きく、バッテリの持続時間を長くすることが難しい。このため、撮影可能な枚数が少ないという問題があった。
【０００６】
本発明は上記の事情を考慮してなされたもので、消費電力を低減することにより、撮影可能な枚数を増加させた立体撮影装置を提供することを目的とする。
【０００７】
【課題を解決するための手段】
上記目的を達成するため、本発明の立体撮影装置は、一対の撮像部を用いて撮影を行う立体撮影モードと、前記一対の撮像部の一方のみを用いて撮影を行う通常撮影モードとを有し、撮影モード切替手段により前記立体撮影モードと前記通常撮影モードとが切替えられる立体撮影装置であり、撮影モード切替手段により立体撮影モードに切替えられた時に、一対の撮像部のうち、一方の撮像部を起動状態、他方の撮像部を機能停止状態にし、撮影の指令を取得した時に、他方の撮像部も起動状態にして、一対の撮像部を制御して立体撮影を実行させる制御手段を備えたことを特徴とするものである。
【０００８】
また、前述の制御手段は、一方の撮像部のみが起動状態の時に、撮影条件を検出する検出手段を制御して、一方の撮像部により取得された画像データに基づいて撮影条件を検出させ、撮影の指令を取得した時に、この撮影条件に基づいて一対の撮像部を制御して立体撮影を実行させることを特徴とするものである。
【０００９】
上記目的を達成するため、本発明の立体撮影装置の制御方法は、一対の撮像部を用いて撮影を行う立体撮影モードと、一対の撮像部の一方のみを用いて撮影を行う通常撮影モードとを有し、撮影モード切替手段により立体撮影モードと通常撮影モードとが切替えられる立体撮影装置の制御方法であり、撮影モード切替手段により立体撮影モードに切替えられた時に、一対の撮像部のうち、一方の撮像部を起動状態、他方の撮像部を機能停止状態にし、撮影の指令を取得した時に、他方の撮像部も起動状態にして、一対の撮像部を制御して立体撮影を実行することを特徴とする。
【００１０】
また、前述の立体撮影装置の制御方法は、立体撮影モードにおいて一方の撮像部のみが起動状態の時に、撮影条件を検出する検出手段を制御して、一方の撮像部により取得された画像データに基づいて撮影条件を検出させ、撮影の指令を取得した時に、この撮影条件に基づいて一対の撮像部を制御して立体撮影を実行することを特徴とする。
【００１１】
【発明の実施の形態】
本実施形態においては、本発明の立体撮影装置をデジタルカメラに適用した場合について説明を行う。図１は、デジタルカメラの電気的構成を示すブロック図である。このデジタルカメラ２は、２つの撮像部１０，２０を有している。デジタルカメラ２は、この撮像部１０，２０の一方を使用して、通常撮影（２次元撮影）を行い、２つの撮像部１０，２０を同時に使用して、立体撮影（３次元撮影）を行う。
【００１２】
撮像部１０は、第１撮影レンズ１１、第１モータドライバ１２、第１ＣＣＤ１４、第１タイミングジェネレータ１５、第１ＣＤＳ１６、第１ＡＭＰ１７、及び第１Ａ／Ｄ変換器１８で構成されている。第１撮影レンズ１１は、ズームレンズ、フォーカスレンズ、及び絞り等を含んで構成されており、これらは、図示せぬモータにより光軸方向に進退移動される。このモータは、第１モータドライバ１２を介して、デジタルカメラ２の全体の制御を行う制御手段であるＣＰＵ１３に接続されている。ＣＰＵ１３は、第１モータドライバ１２を制御することにより、モータを駆動して、ズームレンズまたはフォーカスレンズを移動させる。
【００１３】
第１撮影レンズ１１の背後には、撮像手段である第１ＣＣＤ１４が配置されている。第１撮影レンズ１１は、この第１ＣＣＤ１４の受光面に被写体像を結像させる。第１ＣＣＤ１４は、第１タイミングジェネレータ１５を介してＣＰＵ１３に接続されており、ＣＰＵ１３が第１タイミングジェネレータ１５を制御することにより、タイミング信号（クロックパルス）を発生させる。第１ＣＣＤ１４は、このタイミング信号が入力されることにより駆動する。
【００１４】
また、第１ＣＣＤ１４は、光電変換により被写体像を電気信号に変換し、この画像信号を相関二重サンプリング回路である第１ＣＤＳ１６に送信する。第１ＣＤＳ１６は、第１ＣＣＤ１４から画像信号を取得して、第１ＣＣＤ１４の各セルの蓄積電荷量に正確に対応したＲ，Ｇ，Ｂの画像データとして出力する。第１ＣＤＳ１６から出力された画像データは、増幅器（ＡＭＰ）１７で増幅されて、さらに、Ａ／Ｄ変換器１８でデジタルデータに変換される。このデジタル化された画像データは、第１Ａ／Ｄ変換器１８から画像入力コントローラ１９に出力される。
【００１５】
第２撮像部２０は、第１撮像部１０と同様の構成であり、第２撮影レンズ２１、第２モータドライバ２２、第２ＣＣＤ２４、第２タイミングジェネレータ２５、第２ＣＤＳ２６、第２ＡＭＰ２７、及び第２Ａ／Ｄ変換器２８で構成されている。第２Ａ／Ｄ変換器２８は、第１Ａ／Ｄ変換器１８と同様に、デジタル化された画像データを画像入力コントローラ１９に出力する。
【００１６】
画像入力コントローラ１９は、データバス３０を介してＣＰＵ１３に接続されている。ＣＰＵ１３は、画像入力コントローラ１９を制御して、画像データをビデオメモリ３１、あるいはバッファメモリ３２に記憶させる。
【００１７】
ビデオメモリ３１は、ＬＣＤパネル３３を電子ビューファインダとして使用する際に、解像度の低い画像データが一時的に記憶される。ビデオメモリ３１に記録された画像データは、データバス３０を介してＬＣＤドライバ３４に送信される。ＬＣＤドライバ３４は、ＬＣＤパネル３３に画像を表示できるように、画像データに対して信号処理を施して、画像をＬＣＤパネル３３に表示させる。
【００１８】
バッファメモリ３２は、撮像された高解像度の画像データが一時的に記憶される。また、ＣＰＵ１３には、データバス３０を介して画像信号処理回路３５、及び立体画像処理回路３６が接続されている。画像信号処理回路３５は、撮像された高解像度の画像データがバッファメモリ３２に記憶されている間に、各種画像処理、例えば、階調変換、色変換、ハイパートーン処理、及びハイパーシャープネス処理等を施す。立体画像処理回路３６は、立体画像撮影で画像記録を行う時に、第１ＣＣＤ１４、及び第２ＣＣＤ２４にて取得された一対の画像データに対して、合成処理等の所定の処理を施すことにより、立体画像データに変換する。
【００１９】
また、ＣＰＵ１３には、データバス３０を介して圧縮・伸張回路３７、メディアコントローラ３８が接続されている。ＣＰＵ１３は、この圧縮・伸張回路３７を制御して、バッファメモリ３２に記憶された画像データに対して、ＪＰＥＧ方式等の圧縮形式により圧縮処理を施す。その後、ＣＰＵ１３は、、メディアコントローラ３８を制御して、圧縮処理された画像データをメモリカード等の記録媒体である記録メディア３９に記録させる。この記録メディア３９に記録された画像データを再生する場合は、ＣＰＵ１３がメディアコントローラ３８を制御して、記録メディア３９から画像データを読み出し、さらに、圧縮・伸張回路３７を制御して、圧縮された画像データの伸張処理を行う。ＣＰＵ１３は、ＬＣＤドライバ３４を制御して、この画像データをＬＣＤパネル３３に表示する。
【００２０】
ＣＰＵ１３には、データバス３０を介してＡＦ検出回路４０、ＡＥ／ＡＷＢ検出回路４１に接続されている。ＣＰＵ１３は、ＡＦ検出回路４０を制御して、撮像部１０により取得した画像データに基づいて、第１撮影レンズ１１及び第２撮影レンズ２１のフォーカスレンズの焦点調整が撮影に最適となるＡＦ検出値を検出させ、このＡＦ検出値に基づいて第１及び第２モータドライバ１２，２２を制御して、それぞれのフォーカスレンズを最適な位置に移動させる。また、ＣＰＵ１３は、ＡＥ／ＡＷＢ検出回路４１を制御して、撮像部１０により取得した画像データに基づいて、露光調整及びホワイトバランス補正が撮影に最適となるＡＥ／ＡＷＢ検出値を検出させ、このＡＥ／ＡＷＢ検出値に基づいて、露光量とホワイトバランス補正が最適となるように、絞り、第１及び第２ＣＣＤ１４，２４等の制御を行う。
【００２１】
また、ＣＰＵ１３は、データバス３０を介して音声入力処理回路４２が接続されており、この音声入力処理回路４２を制御して、ステレオマイクＡＭＰ４４を介して、マイク４３が取得した音声データを取得する。この音声データは、画像データと同様に、記録メディア３９に記憶される。
【００２２】
また、データバス３０には、音声出力処理回路４５を介してスピーカ４６が接続されており、ＣＰＵ１３は、記録メディア３９に記録された音声データを再生する際に、音声出力処理回路４５を制御してスピーカ４６から音声を出力させる。
【００２３】
ＣＰＵ１３には、クロックジェネレータ５０が接続されている。ＣＰＵ１３は、このクロックジェネレータ５０を制御することにより、タイミング信号（クロックパルス）を発生させて、このタイミング信号を各動作ブロックへ供給することにより各動作ブロックの制御を行っている。また、ＣＰＵ１３には、電源部５１が接続されており、ＣＰＵ１３が、電源部５１を制御することにより、各動作ブロックへの給電を制御している。
【００２４】
また、ＣＰＵ１３には、撮影者からの命令を取得する操作部５２が接続されている。この操作部５２は、モード切替スイッチ６０、撮影モード切替スイッチ６１、シャッタボタン６２、電源スイッチ６３、ズームボタン６４、メニューボタン６５、及びカーソル操作ボタン６６で構成されている。
【００２５】
モード切替スイッチ６０は、記録モードと再生モードとを切り替える際に撮影者により操作される。撮影モード切替スイッチ６１は、立体撮影モードと通常撮影モードとを切り替える際に撮影者により操作される。ＣＰＵ１３は、これらのモード切替スイッチ６０及び撮影モード切替スイッチ６１の操作に基づいて、デジタルカメラ２の各動作ブロックの動作状態を最適な状態に切替える。
【００２６】
シャッタボタン６２は、２段押しのスイッチとなっている。撮影者がＬＣＤパネル３３または光学ファインダを使用してフレーミングを行った後に、シャッタボタン６２を軽く押圧（半押し）すると、露光調整や、第１及び第２撮影レンズ１１，２１の焦点調整や露光調整等の各種撮影準備処理が施される。この半押しされた状態では、ＡＦ検出値、及びＡＥ／ＡＷＢ検出値のデータは、シャッタボタン６２を離すまで固定される。この状態でシャッタボタン６２をもう一度強く押圧（全押し）すると、１画像分の画像データが、記録メディア３９に記録される。
【００２７】
また、電源スイッチ６３は、デジタルカメラ２の電源のオン／オフ切替えを行う際に、撮影者により操作される。さらに、ズームボタン６４は、ズーミングを行う際に撮影者に操作され、第１及び第２撮影レンズ１１，２１のズームレンズが、ワイド端とテレ端との間で光軸方向に進退移動させる。これにより、ズーム倍率が変化する。
【００２８】
また、メニューボタン６５は、撮影者により押圧操作され、ＬＣＤパネル３３にメニュー画面が表示される。カーソル操作ボタン６６は、このメニュー画面内でカーソルを移動させる時に撮影者により操作される。
【００２９】
次に、各モード及び状態における各動作ブロックの状態について、図２の表を用いて説明を行う。モード切替スイッチ６０により、撮影モードに設定され、且つ撮影モード切替スイッチ６１により、立体撮影モードに設定された場合、つまり立体撮影モードの記録待機時において、ＣＰＵ１３は、図２（Ａ）に示すように、立体撮影モードの記録待機時に必要としない機能を有する動作ブロック、つまり、第２ＣＣＤ２４、第２ＣＤＳ２６、第２ＡＭＰ２７、第２Ａ／Ｄ変換器２８、第２モータドライバ２２、第２タイミングジェネレータ２５、立体画像信号処理部３６、圧縮／伸張処理部３７、メディアコントローラ３８、記録メディア３９、音声出力処理回路４５、スピーカ４６、音声入力処理回路４２、ステレオマイクＡＭＰ４４、及びマイク４３の機能を停止させる。また、記録時に必要な機能を有する動作ブロックを動作可能状態にする。
【００３０】
この状態でシャッタボタン６２が半押しされると、ＣＰＵ１３は、第１撮像部１０により取得した画像データに基づいて、ＡＦ検出値、及びＡＥ／ＡＷＢ検出値を検出する。さらに、ＣＰＵ１３は、このＡＦ検出値、及びＡＥ／ＡＷＢ検出値に基づいて、第１撮影レンズ１１と第２撮影レンズ２１との視差を考慮して、撮像部２０のＡＦ検出値、及びＡＥ／ＡＷＢ検出値を予測して算出する。
【００３１】
その後、シャッタボタン６２が全押しされた時に、ＣＰＵ１３は、図２（Ｂ）に示すように、立体撮影の記録時に必要としない機能を有する動作ブロック、つまり、音声出力処理回路４５、及びスピーカ４６の動作ブロックの機能を停止させ、記録時に必要な機能を有する動作ブロックを動作可能状態にする。この時、撮像部１０，２０を構成するブロック全てが起動状態となり、ＣＰＵ１３は、前述のＡＦ検出値、及びＡＥ／ＡＷＢ検出値に基づいて、第１撮像部１０及び第２撮像部２０を構成する動作ブロックを制御して立体撮影を行う。
【００３２】
モード切替スイッチ６０により、撮影モードに設定され、且つ撮影モード切替スイッチ６１により、通常撮影モードに設定された場合、つまり通常撮影モードの記録待機時において、ＣＰＵ１３は、図２（Ｃ）に示すように、通常撮影の記録待機時に必要としない機能を有する動作ブロック、つまり、第２ＣＣＤ２４、第２ＣＤＳ２６、第２ＡＭＰ２７、第２Ａ／Ｄ変換器２８、第２モータドライバ２２、第２タイミングジェネレータ２５、立体画像信号処理部３６、圧縮／伸張処理部３７、メディアコントローラ３８、記録メディア３９、音声出力処理回路４５、スピーカ４６、音声入力処理回路４２、ステレオマイクＡＭＰ４４、及びマイク４３の機能を停止させる。また、ＣＰＵ１３は、記録待機時に必要な機能を有する動作ブロックを動作可能状態にする。
【００３３】
この時、ＣＰＵ１３は、第１撮像部１０により取得した画像データに基づいて、ＡＦ検出値、及びＡＥ／ＡＷＢ検出値を検出させる。ＣＰＵ１３は、この検出値に基づいて、第１撮影レンズ１１、第１ＣＣＤ１４、及び絞り等を制御して、焦点調整、露光調整、及びホワイトバランスの補正等を行う。
【００３４】
その後、シャッタボタン６２が全押された時に、ＣＰＵ１３は、図２（Ｄ）に示すように、通常撮影の記録時の動作に必要としない機能を有する動作ブロック、つまり、第２ＣＣＤ２４、第２ＣＤＳ２６、第２ＡＭＰ２７、第２Ａ／Ｄ変換器２８、第２モータドライバ２２、第２タイミングジェネレータ２５、立体画像信号処理部３６、第２音声出力処理回路４５、及びスピーカ４６の動作ブロックの機能を停止させる。また、ＣＰＵ１３は、記録時の動作に必要な機能を有する動作ブロックを動作可能状態にする。この（Ｄ）記録時には、第１撮像部１０を使用して撮影記録を行い、第２撮像部２０は使用しない。
【００３５】
また、モード切替スイッチ６０により、再生モードに設定されている場合には、ＣＰＵ１３は、図２（Ｅ）に示すように、再生の動作に必要としない機能を有する動作ブロック、つまり、第１ＣＣＤ１４、第１ＣＤＳ１６、第１ＡＭＰ１７、第１Ａ／Ｄ変換器１８、第１モータドライバ１２、第１タイミングジェネレータ１５、画像入力コントローラ１９、立体画像信号処理部３６、第２ＣＣＤ２４、第２ＣＤＳ２６、第２ＡＭＰ２７、第２Ａ／Ｄ変換器２８、第２モータドライバ２２、第２タイミングジェネレータ２５、音声入力処理回路４２、ステレオマイクＡＭＰ４４、マイク４３、ＡＦ検出回路４０、及びＡＥ／ＡＷＢ検出回路４１の動作ブロックの機能を停止させる。また、ＣＰＵ１３は、再生に必要な機能を有する動作ブロックを動作可能状態にする。
【００３６】
このように、ＣＰＵ１３が、各撮影モードと動作状態に基づいて、必要な動作ブロックのみを起動状態にし、必要のない動作ブロックを機能停止状態にするので、使用電力を低減することができる。なお、動作ブロックの機能を停止する場合、ＣＰＵ１３が電源部５１を制御して、機能を停止させる動作ブロックへの電源供給を停止させる。また、ＣＰＵ１３が、第１及び第２タイミングジェネレータ１５，２５、クロックジェネレータ５０を制御して、機能を停止させる動作ブロックへのクロックパルスの供給を停止させても良い。また、機能を停止させる動作ブロックへの電源供給とクロックパルスの供給の両方を停止させても良い。
【００３７】
次に、上記構成のデジタルカメラ２の作用について、図３のフローチャートを用いて説明を行う。ＣＰＵ１３は、撮影モードに設定されているか否かの判定を行う。撮影モードではない（再生モード）と判定された場合、ＣＰＵ１３は、再生に必要のない動作ブロック（図２（Ｅ）に示す動作ブロック）の機能を停止させ、再生に必要な動作ブロックを起動状態にする。ＣＰＵ１３は、起動状態にした動作ブロックを制御して、再生処理を行って処理を終了する。
【００３８】
撮影モードに設定されていると判定された場合、ＣＰＵ１３は、立体撮影モードに設定されているか否かの判定を行う。立体撮影モードに設定されていると判定された場合には、ＣＰＵ１３が、立体撮影の記録待機時に必要としない動作ブロック（図２（Ａ）に示す動作ブロック）の機能を停止させ、記録待機時に必要な動作ブロックを起動状態にする。これにより、立体撮影の記録待機状態となる。
【００３９】
また、立体撮影モードに設定されていない（通常撮影モードである）と判定された場合には、ＣＰＵ１３が、通常撮影の記録待機時に必要としない動作ブロック（図２（Ｃ）に示す動作ブロック）の機能を停止させ、記録待機時に必要な動作ブロックを起動状態にする。これにより、通常撮影の記録待機状態となる。
【００４０】
このような記録待機状態において、撮影者は、ズームボタン６４の操作等を行い、フレーミングを行う。このフレーミング終了後、撮影者によりシャッタボタン６２が半押しされると、焦点調整、露光調整、及びホワイトバランスの補正等の撮影準備が施される。シャッタボタン６２が半押しされない時は、そのまま記録待機状態を維持する。
【００４１】
シャッタボタン６２が半押しされて、撮影準備が施された時に、ＣＰＵ１３は、撮影開始の指令を取得したか（シャッタボタン６２が全押しされたか）否かを判定する。撮影開始の指令を取得していないと判定された場合には、そのまま記録待機状態が維持される。
【００４２】
撮影開始の指令を取得した（シャッタボタン６２が全押しされた）と判定された場合、ＣＰＵ１３は、立体撮影モードに設定されているか否かの判定を行う。立体撮影モードに設定されていると判定された場合、ＣＰＵ１３が、立体撮影の記録時に必要としない動作ブロック（図２（Ｂ）に示す動作ブロック）の機能を停止させ、記録時に必要な動作ブロックを起動状態にする。つまり、撮像部１０及び撮像部２０は、共に起動状態となる。ＣＰＵ１３は、起動状態にされている動作ブロックを制御することにより、撮影処理を実行する。
【００４３】
また、立体撮影モードに設定されていない（通常撮影モードである）と判定された場合、ＣＰＵ１３が、通常撮影の記録時に必要としない動作ブロック（図２（Ｄ）に示す動作ブロック）の機能を停止させ、記録時に必要な動作ブロックを起動状態にする。ＣＰＵ１３は、起動状態にされた動作ブロックを制御することにより、撮影処理を実行する。
【００４４】
その後、ＣＰＵ１３は、撮影を終了するか否かの判定を行う。撮影が終了したと判定された場合、処理を終了する。撮影を終了しないと判定された場合、再び、最初の処理に戻る。
【００４５】
このように、ＣＰＵ１３が、各撮影モードと動作状態に基づいて、必要な動作ブロックのみを起動状態にし、必要のない動作ブロックを機能停止状態にするので、使用電力を低減することができる。このため、バッテリの使用時間を増加させることができるので、撮影枚数、及び撮影時間を増加させることが可能である。
【００４６】
なお、本実施形態においては、３次元、または２次元の静止画像を撮影するデジタルカメラについて説明を行ったが、これに限るものではなく、３次元、または２次元の動画撮影可能なデジタルカメラにも適用可能である。
【００４７】
【発明の効果】
上述のように、本発明の立体撮影装置及びその制御方法によれば、立体撮影の記録待機時に、一方の撮像部を起動状態にして、他方の撮像部を機能停止状態にするので、記録待機時に使用する電力量を低減することが可能である。このため、バッテリの使用可能時間を長期化することができるので、撮影可能な画像枚数または撮影時間を増加させることが可能である。
【図面の簡単な説明】
【図１】デジタルカメラの電気的構成を示すブロック図である。
【図２】機能停止する動作ブロックを各モード及び状態毎に示した表である。
【図３】デジタルカメラの撮影処理を説明するフローチャートである。
【符号の説明】
２  デジタルカメラ
１０，２０  撮像部
１１  第１撮影レンズ
１４  第１ＣＣＤ
１５  第１タイミングジェネレータ
２１  第２撮影レンズ
２４  第２ＣＣＤ
２５  第２タイミングジェネレータ
１３  ＣＰＵ
５０  クロックジェネレータ
５１  電源部
５２  操作部
６０  モード切替スイッチ
６１  撮影モード切替スイッチ
６２  シャッタボタン
【図１】
2005045511.tif 000003
【図２】
2005045511.tif 000004
【図３】
2005045511.tif 000005